(57)【要約】【課題】モータの特性が異なるものへ変更する場合に、大掛かりな作業を行わなくても、継続して使用できるようにした洗濯乾燥機を提供する。【解決手段】筐体と、この筐体に回転可能に配置され衣類を収容する内槽と、この内槽を駆動するモータと、洗濯工程又は乾燥工程の運転内容を操作する操作部と、不揮発の記憶領域を備え、前記モータを駆動して前記洗濯工程又は前記乾燥工程を行う洗濯乾燥機において、前記洗濯工程又は前記乾燥工程の制御で用いる設定値を、前記モータの特性が異なる毎に複数前記記憶領域に予め記憶しておき、前記モータの特性が異なるものに変更する場合に、前記設定値を切り替えるようにした。【選択図】  図６
2013031590.tif 000002
【特許請求の範囲】
【請求項１】
筐体と、この筐体に回転可能に配置され洗濯物を収容する内槽と、この内槽を駆動するモータと、洗濯工程又は乾燥工程の運転内容を操作する操作部と、不揮発の記憶領域を備え、前記モータを駆動して前記洗濯工程又は前記乾燥工程を行う洗濯乾燥機において、
前記洗濯工程又は前記乾燥工程の制御で用いる設定値を、前記モータの特性が異なる毎に複数前記記憶領域に予め記憶しておき、前記モータの特性が異なるものに変更する場合に、前記設定値を切り替えることを特徴とする洗濯乾燥機。
【請求項２】
請求項１において、前記操作部の所定の操作によって、前記設定値を切り替えることを特徴とする洗濯乾燥機。
【請求項３】
請求項１において、前記設定値は、前記モータの電流を使用して衣類の量を検出する場合の判定に用いられる値であることを特徴とする洗濯乾燥機。
【請求項４】
請求項１において、前記モータの特性が異なるものに変更する場合とは、前記モータをネオジム磁石からフェライト磁石に変更する場合であることを特徴とする洗濯乾燥機。
【発明の詳細な説明】
【技術分野】
【０００１】
本発明は、衣類を洗濯し乾燥する洗濯乾燥機に関する。
【背景技術】
【０００２】
現在のドラム式洗濯機は、回転ドラムの回転軸に磁石モータを直結して駆動する方式（ダイレクトドライブ方式）が主流となってきている。通常、ドラム式洗濯機においては、洗い工程で回転ドラムを低速高トルクで駆動する必要があるため、磁石にはネオジム磁石が採用されている。このネオジム磁石の主原料であるネオジウムは、レアメタルであって、入手するのに困難を伴う場合があるので、昨今、脱レアメタル、すなわちフェライト磁石化が叫ばれていた。しかし、フェライト磁石の残留磁束密度はネオジム磁石と比べて小さく、フェライト磁石を利用すると、磁石モータの体格が大きくなる問題点があった。
【０００３】
そこで、下記特許文献１では、そのような問題を解消するために、洗濯機などに使用されるモータについて、フェライト磁石の配置を工夫することが開示されている。
【先行技術文献】
【特許文献】
【０００４】
【特許文献１】特開２００６−２０４２５号公報
【発明の概要】
【発明が解決しようとする課題】
【０００５】
特許文献１のように、洗濯機のモータを、ネオジム磁石ではなく、フェライト磁石を用いて構成することは、既に知られている。しかしながら、例えば、ネオジム磁石を用いたモータで洗濯乾燥機を製造した後で、モータの材料をフェライトに変更した場合は、モータの特性も変わる。すると、洗濯乾燥機において、布の量や質、布の偏り、洗剤の発泡具合等を検出するために使用しているモータ電流値、モータが発生する音などに違いが生ずる。モータの材料以外にも、所定の部品を交換したり形状変更したりしても、モータの特性が変わってくる。
【０００６】
このため、洗濯乾燥機のモータの特性に影響のある材料、部品、形状の変更を行った際には、モータ電流値や騒音を測定し直し、マイコン内蔵のソフトウェア制御で使用している設定値を変更して、合わせ込む必要がある。
【０００７】
本発明は、上述の課題を鑑みてなされたものであり、その目的は、モータの特性が異なるものへ変更する場合に、大掛かりな作業を行わなくても、継続して使用できるようにした洗濯乾燥機を提供することにある。
【課題を解決するための手段】
【０００８】
上記目的を達成するため、本発明では、筐体と、この筐体に回転可能に配置され衣類を収容する内槽と、この内槽を駆動するモータと、洗濯工程又は乾燥工程の運転内容を操作する操作部と、不揮発の記憶領域を備え、前記モータを駆動して前記洗濯工程又は前記乾燥工程を行う洗濯乾燥機において、前記洗濯工程又は前記乾燥工程の制御で用いる設定値を、前記モータの特性が異なる毎に複数前記記憶領域に予め記憶しておき、前記モータの特性が異なるものに変更する場合に、前記設定値を切り替えるようにした。
【発明の効果】
【０００９】
上記構成によれば、モータの特性が異なるものへ変更する場合に、大掛かりな作業を行わなくても、継続して使用できるようにした洗濯乾燥機が提供できる。
【図面の簡単な説明】
【００１０】
【図１】本発明の一実施形態に係るものでドラム式洗濯乾燥機の内視図である。
【図２】本発明の一実施形態に係るものでドラム式洗濯乾燥機の外観図である。
【図３】本発明の一実施形態に係るもので洗濯乾燥機の制御装置のブロック図である。
【図４】本発明の一実施形態に係るものでモータの斜視図である。
【図５】本発明の一実施形態に係るものでドラム式洗濯乾燥機の右側面の部分断面図          である。
【図６】本発明の一実施形態に係るもので部品交換時の作業フローを示す図である。
【図７】本発明の一実施形態に係るもので操作パネルから不揮発記憶手段の設定切替えを行う装置の簡略図である。
【発明を実施するための形態】
【００１１】
以下、本発明の一実施形態に係るドラム式洗濯乾燥機１００について、図１〜図７を用いて説明する。
【００１２】
図１は、本実施形態のドラム式洗濯乾燥機１００の内視図である。
【００１３】
ドラム式洗濯乾燥機１００は、前面パネルが開口した筐体１０１と、四隅にゴム製の脚を有する筐体ベース１０２とを備え、筐体１０１の開口部にはドア１０３が開閉可能なように取り付けられている。さらに、ドラム式洗濯乾燥機１００は、筐体１０１に回転可能に配置され衣類を収容する洗濯槽（内槽）１０４と、この洗濯槽１０４を包括する外槽１０５と、洗濯槽１０４を駆動するモータ２０４と、不揮発の記憶領域を有する不揮発記憶装置２１３を備えている。
【００１４】
図２は、本実施形態のドラム式洗濯乾燥機１００の外観図である。
【００１５】
ドラム式洗濯乾燥機１００の正面上部には、洗濯工程または乾燥工程の運転内容を操作する操作部として操作パネル１０６が設けられ、操作パネル１０６には、使用者が設定を確認するための表示部１１０、洗濯工程または乾燥工程の設定を変更する設定スイッチ１０７などが配されている。この操作パネル１０６の操作により、モータ２０４を駆動して、洗濯工程または乾燥工程を行う。
【００１６】
図３は、ドラム式洗濯乾燥機１００の制御ブロック図である。２１５はマイクロコンピュータで、各設定スイッチ１０７に接続される操作ボタン入力回路２１４や水位センサ２０７、温度センサ２０８と接続され、使用者のボタン操作や洗濯工程、乾燥工程での各種情報信号を受ける。マイクロコンピュータ２１５からの出力は、給水電磁弁２０２、排水弁２０３、モータ２０４、ファン２０５、ヒータ２０６などに接続され、これらの開閉や回転、通電を制御する。また、使用者にドラム式洗濯乾燥機１００の動作状態を知らせるための発光ＬＥＤ１１２や７セグメント発光ＬＥＤ１１１、ブザー２１２に接続される。
【００１７】
図４は、モータ２０４である駆動部ユニットである。外槽フランジ３０４に中心位置を合わせてステータ３０１がネジ３０６により固定され、ステータ３０１の内径側にはロータ３０３が外槽フランジ３０４の中央部に設けられ、２個の軸受け（図示せず）にて支持された回転軸３０５にネジで固定される。
【００１８】
図５は、本実施形態のドラム式洗濯乾燥機１００の右側面の部分断面図である。図５に示すように、ドラムが後方に傾斜したドラム式洗濯乾燥機１００では、ドラムの傾斜角度に沿って外槽１０５や、外槽１０５に固定しているモータ２０４も傾斜して設置している。
【００１９】
図６、図７は、実際のサービス部品となるモータ２０４の部品変更作業を示したものである。
【００２０】
ステップＳ１０１
モータ２０４の材料、部品または形状の変更が必要になった際、筐体１０１の背面板１１３やその他の構成部品を取り外し、従来と異なる特性を持つモータ２０４に交換する。
【００２１】
この際、図４に示すロータ３０３のみ、またはネジ３０６を外してステータ３０１を交換する場合もあり、場合により外槽フランジ３０４ごと交換する場合もある。本実施形態では、モータ２０４の材料を、ネオジム磁石からフェライト磁石に変更することにより、モータ２０４の特性が異なるものに変更される場合について説明する。
【００２２】
ステップＳ１０２
本実施形態では、図７に示すとおり、洗濯工程または乾燥工程の制御で用いる設定値を、モータ２０４の特性が異なる毎に複数、マイクロコンピュータ２１５に内蔵のＲＯＭやＥＥＰＲＯＭなどの不揮発記憶装置２１３に予め記憶してある。例えば、モータ２０４の電流を使用して衣類の量を検出する場合の判定に用いられるモータ特性Ａとして、材料がネオジム磁石のときの設定値がＡ１、フェライト磁石のときの設定値がＡ２、それ以外の磁石のときの設定値がＡ３というように予め不揮発記憶装置２１３に記憶されている。このような磁石の種別のほか、ステータ３０１の巻き線の巻数を変更しても、各モータ特性における設定値が変わってくるので、これら巻数毎に予め設定値を不揮発記憶装置２１３に予め記憶しておいても良い。
【００２３】
本実施形態のように、操作パネル１０６からマイクロコンピュータ２１５を介して不揮発記憶装置２１３内の特性データ選択を行うことが可能な構成である場合は、ステップＳ１０３の特性切替えモード操作を行い、設定値を切り替える。
【００２４】
ステップＳ１０３
図７のように、操作パネル１０６には使用者が設定内容を確認するための表示部１１０と設定を数値で表示する７セグメント発光ＬＥＤ１１１と、複数の設定スイッチ１０７ａ〜ｉなどがある。通常は単スイッチ押しによる設定選択を行うが、使用者が通常の操作で行うことのないよう、設定スイッチ１０７ａ〜ｉの複数の組み合わせを一定時間押下することで特性切替えモードに移行する。
【００２５】
ステップＳ１０４
特性切替えモードに移行したことを確認するため、移行ができたことを通知する手段としてブザー２１２を鳴らすことや、表示部１１０に移行したことを明示する表示とするなどを行う。特性切替えモードでは、例えば図７の不揮発記憶装置２１３内に記憶されている特性データの何れかを選択するために設定スイッチ１０７ａ〜ｉのうち特定のスイッチを割り当てる。前述したように、特性切替えモードは既に使用者が通常移行できる状態ではないため単キーによる設定でよい。また、この際に特性切替えモードから通常状態へ戻るために電源を自動的にＯＦＦすることや自動的に初期状態へ戻るなどする。
【００２６】
ステップＳ１０５
設定スイッチ１０７ａ〜ｉの何れかにより選択した特性データになっているかを確認するには、操作パネル１０６で特性切替えモード移行とは異なる複数の設定スイッチ１０７ａ〜ｉの組み合わせを押下中に、操作パネル１０６の発光ＬＥＤ１１２の何れかを点灯するなどして確認を行う。
【００２７】
このように、本実施形態によれば、生産途中で材料費の変動や材料の欠品が発生し、部品が変更となっても、サービスマンが部品の交換後、予め決められた設定切替え操作を行うだけで良くなる。したがって、モータ特性を合わせ込んだ複数のソフトウェアを用意しておき、部品変更時に、ソフトウェアを別途書き換えたり、当該ソフトウェアを搭載したコントロール基板に別途交換したりする必要がない。その結果、材料や部材への柔軟な変更対応とサービス性の向上が可能となる。
【００２８】
ステップＳ１０６
ステップＳ１０２にて特性データ選択を行うことが不可能な構成である場合は、ステップＳ１０１のモータ２０４の付け替えに続いて、筐体１０１内に設置されるマイクロコンピュータ２１５や不揮発記憶装置２１３を備えたコントロール基板を取り外す。この際、コントロール基板には図３に示す給水電磁弁２０２やモータ２０４、ファン２０５、ヒータ２０６、水位センサ２０７といったものと接続されており、取り外しにはそれらを全て外す必要がある。
【００２９】
ステップＳ１０７
筐体１０１から外したコントロール基板とは別に、ステップＳ１０１にて取り付けた材料や部品変更などのあったモータ２０４と特性を合わせ込んだ別コントロール基板を交換作業者が持参し、筐体１０１内部に取り付け配線をつなぎ直す。
【００３０】
ステップＳ１０８
別コントロール基板に取り替えたことにより、複数の配線の接続や動作確認を各部品に対して行う。
【符号の説明】
【００３１】
１００  ドラム式洗濯乾燥機
１０１  筐体
１０２  筐体ベース
１０３  ドア
１０４  洗濯槽
１０５  外槽
１０６  操作パネル
１０７  設定スイッチ
１０８、２０１  電源スイッチ
１０９  スタートスイッチ
１１０  表示部
１１１  ７セグメント発光ＬＥＤ
１１２  発光ＬＥＤ
１１３  背面板
２０２  給水電磁弁
２０３  排水弁
２０４  モータ
２０５  ファン
２０６  ヒータ
２０７  水位センサ
２０８  温度センサ
２０９  振動センサ
２１０  表示器
２１１  ＬＥＤ
２１２  ブザー
２１３  不揮発記憶装置
２１４  操作ボタン入力回路
２１５  マイクロコンピュータ
２１６  信号線
３０１  ステータ
３０２  タブ付き端子
３０３  ロータ
３０４  外槽フランジ
３０５  回転軸
３０６  ネジ
３０７  マグネット
【図１】
2013031590.tif 000003
【図２】
2013031590.tif 000004
【図３】
2013031590.tif 000005
【図４】
2013031590.tif 000006
【図５】
2013031590.tif 000007
【図６】
2013031590.tif 000008
【図７】
2013031590.tif 000009